(57)【要約】  一つ以上の実施形態に従って、照明装置は提供される。照明装置は、ハウジングと、動力源と、光源と、接続装置と、一つ以上のカバーと、作動部材とを含む。動力源、光源、接続装置などは、ハウジングの内部（例えば、使用環境から保護するため）に配置することができ、接続装置は、動力源を光源に電気的に接続又は電気的に連結することができる。カバーは、動力源を光源に接続するために、接続装置をトグル（toggling）することで押圧された時に光源を起動する作動部材を有する。作動部材は、ハウジング又はカバーに一体化することができ、その同一のものの一つ以上と同一平面とすることが出来る。
2016510158.tif 000002
【特許請求の範囲】
【請求項１】
照明を提供するシステムであって、
ハウジングと、
前記システムが装着される指の反対に配置される作動部材と、
前記ハウジングの中に配置される動力源と、
前記ハウジングの中に配置される光源と、
前記ハウジングの中に配置される接続装置と、
前記ハウジングに結合するカバーと、を含み、
前記接続装置は、前記作動部材が押圧された時に、前記動力源及び前記光源を電気的に接続する、照明を提供するシステム。
【請求項２】
前記ハウジングが長円形状（oval shaped）である、請求項１に記載のシステム。
【請求項３】
前記作動部材が前記ハウジングの統合部として形成される、請求項１に記載のシステム。
【請求項４】
前記作動部材が前記カバーの統合部（integrated portion）として形成される、請求項１に記載のシステム。
【請求項５】
前記動力源がバッテリーである、請求項１に記載のシステム。
【請求項６】
前記光源が発光ダイオードである、請求項１に記載のシステム。
【請求項７】
前記カバーが指の輪郭に合う形状である、請求項１に記載のシステム。
【請求項８】
前記光源に関連する（associated with）前記カバーの部分又は前記ハウジングの部分が透明（transparent）又は半透明（semi-transparent）である、請求項１に記載のシステム。
【請求項９】
前記カバーが皮膚の色調の色を有する、請求項１に記載のシステム。
【請求項１０】
前記ハウジングが皮膚の色調の色を有する、請求項１に記載のシステム。
【請求項１１】
照明装置であって、
ハウジングと、
前記ハウジングの中に配置される動力源と、
前記ハウジングの中に配置される光源と、
前記ハウジングの中に配置される接続装置と、
前記ハウジングに結合するカバーと、を含み、
前記ハウジングは、前記ハウジングの中に統合部として形成される作動部材を含み、
前記接続装置は、前記作動部材が押圧された時に、前記動力源及び前記光源を電気的に接続する、照明装置。
【請求項１２】
前記作動部材が、前記ハウジングに接続していない一つ以上の開放端と、前記ハウジングに一体的に取り付けられる接続端と、を有する、請求項１１に記載の装置。
【請求項１３】
前記作動部材が、前記作動部材に外部圧力が加えられた時に、前記ハウジングの中に配置される前記接続装置に向かって曲がり、結果として前記動力源が前記光源に接続し、前記光源を光らせる、請求項１１に記載の装置。
【請求項１４】
前記接続装置が、Ｕ型のスプリングであり、
前記Ｕ型のスプリングは、外部圧力が前記作動部材から取り除かれた時、又は外部圧力が前記作動部材に加えられない時に、前記作動部材が前記動力源から離れるように付勢する、請求項１１に記載の装置。
【請求項１５】
一つ以上の器官に前記照明装置を取り付けるために、前記ハウジング又は前記カバーに巻き付けられるストラップを含む、請求項１１に記載の装置。
【請求項１６】
前記作動部材が隆起部（raised portion）を含む、請求項１１に記載の装置。
【請求項１７】
照明装置であって、
ハウジングと、
前記ハウジングに結合するカバーと、
前記ハウジングの中に配置される動力源と、
前記ハウジングの中に配置される光源と、
前記ハウジングの中に配置される接続装置と、を有し、
前記カバーは、前記カバーの中に統合部として形成される作動部材を含み、
前記接続装置は、前記作動部材が押圧された時に、前記動力源及び前記光源を電気的に接続する、照明装置。
【請求項１８】
一つ以上の器官に前記照明装置を取り付けるために、前記ハウジング又は前記カバーに巻き付けられるストラップを含む、請求項１７に記載の装置。
【請求項１９】
前記作動部材が隆起部（raised portion）を含む、請求項１７に記載の装置。
【請求項２０】
前記作動部材が成形部（molded portion）を含む、請求項１７に記載の装置。
【発明の詳細な説明】
【技術分野】
【０００１】
本願は、２０１４年２月１０日に提出され、発明の名称が「照明機器」である出願番号14/176,774（代理人整理番号：104542.8US）の米国非仮出願（Non-provisional Patent Application）と、先立つ２０１３年２月８日に提出された、発明の名称が「照明機器」である出願番号61/762,494（代理人整理番号：104542.8PRO2）の米国仮出願（Provisional Patent Application）の利益を主張する。２０１４年２月１０日に提出され、発明の名称が「照明機器」である出願番号14/176,774（代理人整理番号：104542.8US）の米国非仮出願は、２０１３年２月８日に提出され、発明の名称が「照明機器」である出願番号61/762,494（代理人整理番号：104542.8PRO2）の米国仮出願の利益を主張する。上記出願の全ては、参照により本願に組み込まれる。
【発明の概要】
【発明が解決しようとする課題】
【０００２】
一般的に、光を伝達する目的ための指装着型の照明機器又はリングは、機械的スイッチやボタンなどの光を起動（activate）及び停止（deactivate）するための手段又は方法を含むことができる。通常、起動又は停止は、リング又は他の機器の底（bottom）から離れ、外部（outward）に延びるボタンの形式とすることができる。ボタンは、装置の底から外部に延びるため、力により衝撃が加えられた場合、ボタンが破損（break off）する可能性がある。加えて、これら装置のボタンは、ボタンが不良となる可能性が増大する可動部（moving parts）を有している可能性がある。
【課題を解決するための手段】
【０００３】
この簡潔な説明は、以下の詳細な説明に記載される形式の簡易化された形式で、概念の選択を紹介するために提供される。この簡潔な説明は、請求される発明の対象の要旨が広範囲な概観（overview）となることや、鍵になる要因又は請求される発明の対象の本質的特徴を特定することを意図するものでなく、請求される発明の対象の範囲を限定するために使用されることを意図するものでもない。
【０００４】
一つ以上の実施形態に従って、照明機器が提供される。照明装置は、ハウジングと、ハウジング内に配置される動力源と、ハウジング内に配置される光源と、ハウジング内に配置される接続装置（connection device）を含むことができる。接続装置は、動力源を光源と電気的に接続又は電気的に連結することができる。照明機器は、ハウジングの底（bottom）に取り付けられるように形状が決められるカバーを備えることができる。カバーは、例えば係合（engaged）した時に光源を起動する作動部材（actuating member）を有することができる。作動部材は、カバーと一体化されるか、又はカバーと同一平面とすることができる。言い換えれば、作動部材は、カバーの一部及び作動部材が実質的にカバーから飛び出さないような継ぎ目のないものとして形成されることができる。一つ以上の実施形態では、照明機器は、携帯可能又は着用可能とすることができる。例えば、照明機器は、指などの器官に装着されることができ、照明装置又は照明装置の作動部材に圧力が加えられたときに起動する。
【０００５】
一つ以上の実施形態に従って、カバーは、作動部材（actuating member）、作動部（actuating portion）又は装置が装着される指の反対の照明装置の側面に関連する（associated with）カバーに統合される部分（portion）を含むことが出来る。言い換えれば、作動部材は、指に接触するカバー上、又は指が照明装置に接触する箇所から照明装置の反対の側面上などの指が接触しないカバー上に位置することができる。一つ以上の実施形態では、カバーを押圧することを助けたり、光源を起動することを容易にしたりするために、突起（protrusion）を形成することが出来る。さらに、実施形態は、破損個所の交換を提供、又はほとんどすべてのサイズの指又は使用者に照明装置を「サイズ（size）」するために、調整可能又は取り外し可能なバンド又はストラップを含むことが出来る。
【０００６】
以下の記述及び添付の図面は、ある実施形態及び実装を説明する。これらは、一つ以上の実施形態が採用される種々の手段の一部を示す。他の実施形態、利点又は開示の新規な特徴は、添付の図面とともに考慮した時に、以下の詳細な説明から明らかになる。
【０００７】
開示の実施形態は、添付の図面とともに読まれた時に、以下の詳細な説明から理解される。図面における要素（element）、構成などは、必ずしも正寸で描かれていない。結果的に、同一の寸法（dimension of the same）は、例えば、説明の明確さのために任意に増加又は減少されることができる。
【図面の簡単な説明】
【０００８】
【図１】図１は、一つ以上の実施形態に従って、指に装着される照明機器の例図を示す。
【図２】図２は、一つ以上の実施形態に従って、指に装着される照明機器の例図を示す。
【図３】図３は、一つ以上の実施形態に従って、指に装着される照明機器の例図を示す。
【図４】図４は、一つ以上の実施形態に従って、指に装着される照明機器の例図を示す。
【図５】図５は、一つ以上の実施形態に従って、照明機器の分解図の例を示す。
【図６】図６は、一つ以上の実施形態に従って、照明機器の斜視図の例を示す。
【図７】図７は、一つ以上の実施形態に従って、照明機器の例図を示す。
【図８】図８は、一つ以上の実施形態に従って、指に装着される照明機器の例図を示す。
【図９】図９は、一つ以上の実施形態に従って、照明機器の例図を示す。
【図１０】図１０は、一つ以上の実施形態に従って、照明機器の分解図を示す。
【図１１】図１１は、一つ以上の実施形態に従って、照明機器の分解図を示す。
【図１２】図１２は、一つ以上の実施形態に従って、照明機器の例図を示す。
【図１３】図１３は、一つ以上の実施形態に従って、照明機器の例図を示す。
【図１４】図１４は、一つ以上の実施形態に従って、照明機器の例図を示す。
【図１５】図１５は、一つ以上の実施形態に従って、指に装着される照明機器の例図を示す。
【図１６】図１６は、一つ以上の実施形態に従って、起動されている間の照明機器の例図を示す。
【図１７】図１７は、一つ以上の実施形態に従って、起動されている間の照明機器の例図を示す。
【発明を実施するための形態】
【０００９】
図面に描写される実施形態又は例は、特定の言語を使用して以下に開示される。それにも関わらず、実施形態又は例が制限されることを意図していないことは理解されるであろう。開示される実施形態における任意の変更及び修正、及びこの文書に開示される原理の任意の更なる応用は、当業者が通常思いつくように予期できる。
【００１０】
図１は、一つ以上の実施形態に従って、指に装着される照明機器１００（以下「装置」という。）の例図を示す。照明装置又は装置１００は、ハウジング１０２とハウジング１０２に固定（fit）又は連結（couple）する対応のカバーを含むことができる。ハウジングは、一つ以上の構成がその中に収容又は配置されるように、長円形（oval）及び／又はボール（bowl）形とすることができる。例えば、動力源、光源、接続装置などは、ハウジング１０２の中に配置又は収容することができる。結果的に、ハウジング１０２は、一つ以上の構成要素を外部環境から保護することを提供できる。図１に示すように、ハウジング１０２は、一つ以上の開放端１１０と関連する空間を作ることによって形成される、統合された（integrated）作動部材（actuating member）１０８を有することができ、作動部材１０８は、接続端１１２で接続される。図１に示されていないが、作動部材１０８が押圧された時（例えば、この結果、接続装置を係合し（engaging）、動力源及び光源に接続する）、結果として装置１００から光が分散するように、接続装置は、動力源を光源に対して電気的に接続又は電気的に連結することができる。実施形態において、装置１００が装着される指上に光線が沿う必要がないことは当然であり、理解できる。
【００１１】
さらに装置１００は、装置又は装置１００の胴体（body）を、例えば使用者の指などの器官に巻いて固定（secure）できるストラップ１０６を含むことができる。ストラップ１０６は、ハウジング１０２に形成される凹部（recess）１２１０にしっかりと固定（fit）できる。一つ以上の実施形態では、凹部１２１０は、装置１００又はハウジング１０２の重心又は中心線に沿って配置することができる。ストラップは、ストラップ１０６又は装置１００が使用者の指で滑る（sliding）ことを抑制する一つ以上の止め具（stop）１２１２を含むことができる。溝（slot）１２０８の中にストラップが係合することにより、ストラップ１０６が装置１００にしっかり留まることができるように、一つ以上の溝及び／又はツメ（tab）１２０８は、ハウジングに形成又は統合することができる。一つ以上の実施形態では、溝は、装置１００の各側面に形成することができる。追加的な溝及び／又はツメ１２０８は、要望に応じて形成することができる。ストラップ１０６が、使用者の指上にしっかり固定できるように、異なる径のストラップと置き換えることができることは当然のことである。
【００１２】
一つ以上の実施形態では、光源１３２（図１のハウジング１０２の中に隠れている）は、ハウジング１０２の中に収納されることができる。光源１３２が使用者の指（又は親指）の先端（又は近くに）、又は使用者の指先（親指の先端）に配置されるように、使用者は装置１００を装着することができる。このように、ハウジング１０２の作動部材１０８を、異なる時間（at different times）に押圧したり、解放したりすることにより、光学的イリュージョン（optical illusion）を作ることができる。光源は、発光ダイオード（LED）とすることができ、異なる一つ以上の色を放出できるようにすることができる。ハウジング１０２、又は光源１３２を覆う、収容する、又は保護するカバーの部分は、例えば、異なる効果のために、透明（clear）、透明（transparent）、半透明（semi-transparent）、半透明（translucent）、又は不透明（opaque）な素材から形成することができる。加えて、ハウジング１０２は、使用者の肌にマッチする肌色や、ほとんど全ての色とすることができる素材から形成又は構成することができる。代替的な様態では、図面に示すそれとは異なる配置で配置される複数のLED又は一つのLEDを採用できることは、当然のことであり理解することができる。これらの代替的実施形態は、この開示及び添付の特許請求の範囲の精神及び／又は範囲の中に含まれる。
【００１３】
図２は、一つ以上の実施形態に従って、指に装着される照明機器２００の例図を示す。装置２００は、ハウジング１０２と、一つ以上の開放端１１０によってハウジング１０２の一部として形成又は統合される作動部材（actuating member）１０８とを含む。装置は、ストラップ１０６によって使用者の指に固定されている。ストラップ１０６は、使用者がストラップを締め付けたり、緩めたりできるように、調整可能にすることができる。一つ以上の実施形態では、ストラップ１０６は、異なる状況のために一つ以上の異なるストラップが使用できるように、取り換え可能とすることができる。例えば、ストラップ１０６は、ストラップ１０６を構成１２０８（ツメなど）に通して、ハウジング１０２の凹部の一部となることができる溝（slot）２０８の中に導入する（weave）ことにより、取り付けられたり取り外されたりすることができる。この方法では、例えば、一人の使用者の異なる指の径や、異なる着用者に適合させるために、異なるストラップが同一の又は単一の装置２００に使用可能である。
【００１４】
図３は、一つ以上の実施形態に従って、指に装着される照明機器３００の例図を示す。図３では、照明装置３００の側面図が示される。例えば、カバー１０４は、動力源、接続装置、光源などの一つ以上の内部構成（internal component）を収容するハウジング１０２と結合することができる。ストラップ１０６は、使用者の指又は器官とカバー１０４と結合するハウジング１０２との間で、カバー１０４を挟み込むことができる。さらに、作動部材１０８は、ハウジングに統合又は形成されることができる。一つ以上の実施形態では、作動部材１０８は、ハウジング１０２から延びる一つ以上の突起（protrusions）を有する又は含むことができる。作動部材１０８は、押圧された時に接続装置を介して動力供給すること、又は光源及び動力源を係合することを促進できる。一つ以上の実施形態では、逆で実施される（例えば、作動部材１０８が、装置のカバー１０４に統合されている、及び／又は、使用者の指と接触する。）できることは当然のことである。例えば、図３では、作動部材１０８が使用者の指と接触しないように、装置３００の形状が決められていることを見ることができる。一つ以上の実施形態では、作動部材１０８が使用者の指に接触するよう同一の装置３００が適応されるように、ストラップ１０６は着用されることができる。他の実施様態では、カバーがそこに統合される作動部材１０８と、結果的にそこに配置される押圧機構（depression mechanism）とを有するように、装置を設計することができる。
【００１５】
作動部材１０８は、ハウジング１０２の反対側（opposite side）又はカバー１０４の反対側（opposite side）に、実装、統合、又は配置することができる。ここで、示すように、作動部材１０８は、装置３００が装着される使用者の指と反対に配置されることができる。一つ以上の実施形態では、作動部材１０８は、装置３００が装着される指と接触することができ、又は指と接触しない指の反対とすることができる。このように、装置３００は、使用（use）しやすさ、外し（removal）やすさ、取り付け（sliding on）やすさ、取り外し（sliding off）やすさ、起動のしやすさ、イリュージョンに関連する隠匿（concealment）などの多様な利点に関連することができる。実施形態では、作動部材１０８は、使用しやすさ、又はより簡単な作動部１０８の押圧を促進する隆起部（raised portion）を有することができる。取り付け又は取り外し可能なバンド、又はストラップ１０６は、要望に応じて採用することができる。
【００１６】
カバー１０４及びハウジング１０２が、透明（transparent）、半透明（semi-transparent）、不透明（opaque）な部材で形成することができ、カバー１０４の一つ以上の部分又はハウジング１０２の一つ以上の部分が、透明（transparent）、肌色、又は色々な色で形成することができることは当然である。例えば、光源に近いハウジング１０２又はカバー１０４の部分は、光源の効果を高めるために、透明（transparent）に形成することができ、一方、ハウジング１０２又はカバー１０４の他の部分は、肌の色調にあった色を有することができる。
【００１７】
図４は、一つ以上の実施形態に従って、指に装着される照明機器４００の例図を示す。
【００１８】
図５は、一つ以上の実施形態に従って、照明機器５００の分解図の例を示す。装置５００は、ハウジング１０２及びカバー１０４と、一つ以上の穴（opening）に係合する一つ以上の柱（post）１１６とを有する（例えば、柱はハウジング１０２の中に位置し、穴はカバー１０４の中に形成されることができる。また、逆の配置とすることもできる。）。装置は、動力源１２８及び光源１３２を含むことができる。それら源（source）は、作動部材（隠れており見ることができない）が押圧された時に、接続装置１３６によって電気的に接続される。
【００１９】
図６は、一つ以上の実施形態に従って、照明機器６００の斜視図の例を示す。図６の照明装置６００は、ハウジング１０２と、カバー１０４と、ストラップ１０６又はバンドとを含むことができる。ハウジング１０２及びカバー１０４は、装置６００の他の構成を保護することができ、ほとんどすべての適切な素材から形成することができる。例えば、ハウジング１０２又はカバー１０４は、プラスチック、樹脂、エポキシ樹脂などの、光に対して透明（transparent）な素材（例えば、光が素材を通過できる。）を含む、又は光に対して透明（transparent）な素材（例えば、光が素材を通過できる。）から構成される（又は形成される）ことができる。ここに記載される開示内容の範囲又は精神から逸脱することなく、他の素材を採用できることは当然のことである。
【００２０】
ストラップ１０６は、伸縮性又は弾力性を有するほとんどすべての素材から形成でき、隠した状態（concealable manner）で使用者に簡単に又は早く装置６００を利用又は取り除くことを許容する。一つ以上の実施形態では、装置が装着され、圧力がカバー１０４又は一つ以上の他の構成に加えられたときに、ストラップ１０６は自動的に締め付けることができる。他の実施形態では、ストラップ１０６は、より柔軟性のない素材から形成されることができ、自動引込みシステム（automatic retraction system）などのストラップ１０６を調整するための機構を含むことができる。例えば、ハウジング１０２の中のスプリング（不図示）は、カバー１０４に圧力が加えられない時に伸長することができ、指がストラップ１０６の中に嵌められた時に縮める（retract）ことができる。このように、装置６００及びストラップ１０６は、彼又は彼女の指に沿うほとんどすべての位置に、装置６００を早く嵌めることを使用者に許容する。さらに、ここに記載されるように、他の実施形態は、適切に「サイジング（sizing）」できるために、調整可能なストラップ１０６又は置き換えストラップ（replacement strap）１０６を提供又は採用することができる。
【００２１】
図７は、一つ以上の実施形態における、照明機器７００の例図を示す。図７では、装置７００は、長円形状（oval shape）を有するハウジング１０２とともに示される。この例では、装置７００は、丸みを帯びた角の長方形状（rectangular shape with rounded corners）を有する。一つ以上の実施形態では、使用者の人差し指で装置７００を簡単に隠せるように、ハウジングの形状が形成される。例えば、指が入り込めるくぼんだ溝（recessed channel）をハウジングが有するように、ハウジング１０２を形成することができる。ハウジング１０２又は装置７００の形状は、長方形、四角、円などに形成することができる。
【００２２】
図８は、一つ以上の実施形態に従って、指に装着される照明機器８００の例図を示す。示すように、使用者は、カバー（例えば、他の図の１０４）に巻き付けられるストラップ１０６を利用して、図８の装置８００をスライドさせて固定する。示していないが、装置８００が使用者の指に配置された時、作動部材（例えば、１０８）及び動力源（例えば、１２８）が手の基部（base of the hand）に近く、光源（例えば、１３２）が指の先端付近に位置するように装置８００を装着できる。この目的を達成するために、カバーの作動部材は、装置８００の指側上の内部（inward）に位置することができる。
【００２３】
図９は、一つ以上の実施形態に従って、照明機器９００の例図を示す。一つ以上の実施形態では、図９の装置９００は、使用者の指に接触（against）して装着されるように形状が決められることができる。例えば、装置９００が装着された時、１１２は、使用者の指又は皮膚と接触することができる。この目的を達成するために、装置９００は、カバー１０４と、作動部材１０８と、ストラップ１０６と、一つ以上の開放端１１０と、接続端１１２と、空間１１４とを含む。
【００２４】
カバー１０４は、作動部材１０８を含む。作動又は起動された時、作動部材１０８は、装置９００の中の一つ以上の光を起動又は有効にする。この例では、作動部材１０８は、カバー１０４の統合部（integrated portion）である。例えば、作動部材１０８は、接続端１１２に沿って、カバー１０４に統合することができる。開放端１１０は、空間１１４を介して作動部材１０８から離隔しているため、カバー１０４と同一の要素（piece）又は統合された部分として装置１０８を形成するが、作動部材１０８を押圧することができる。言い換えれば、作動部材１０８は、複数の開放端１１０と、カバー１０４と接続する接続端１１２とを含むことができる。このように、空間１１４が作動部材の開放端１１０の間に割れ目（separation）を提供し、カバー１０４が結果として作動部材１０８に押圧できるようにするように、空間１１４はカバー１０４に定めることができる。
【００２５】
作動部材１０８の形状は、後述するように、作動部材１０８に圧力が加えられた時などに、作動部材１０８を曲げて装置９００を起動できるようにする。作動部材１０８は、カバーと同一平面（flush with the cover）であるため、作動部材１０８の破損の可能性を和らげるが（例えば、装置の側面から外側に延び、力が加えられた場合に壊れやすいボタンを採用するよりも）、この形状は、光源の起動を許容する。さらに、作動部材はカバーに統合されることができるため、目立つ又は動く部材の数を減らすことができ、装置９００が不調になりにくい可能性を高める。また、作動部材の配置は、装置９００が装着される指に作動部材が接触しない、装置９００の反対の側面とすることができる。
【００２６】
一つ以上の実施形態では、作動部材１０８は、円形のＵ型形状を有する。作動部材１０８の形状は、長方形、四角形、円形などに形成できることは当然のことである。一つ以上の実施形態では、作動部材は、押圧された時に一つ以上の光源の起動を促進する突起（protrusion）を含むことができる。他の様態では、作動部材１０８がカバー１０４から窪む（recessed）又は突き出る（protrude）ことも予期されるが、ここでは、作動部材１０８は、カバー１０４と同一平面である。例えば、作動部材１０８がカバー１０４と同一平面又は窪んでいる時などには、装置９００をスライドして使用者の指に着脱するため、作動部材１０８は、取り外しやすさを促進できる。このように、統合される作動部材１０８は、装置９００を隠しやすくすることができる。
【００２７】
一つ以上の実施形態では、作動部材１０８に関連する一つ以上の特徴は、装置のカバー１０４よりもむしろ、装置のハウジングに統合することができる。例えば、ハウジングのその部分が押圧されたときに、装置に関連する光源が起動するように、作動部材１０８はハウジングに形成又は統合することができる。同様に、作動部材１０８がハウジングに形成されたとき、空間は、作動部材１０８をハウジングから離隔することができ、作動部材１０８は、接続端（例えば、図９の１１２と同様）を介してハウジングと接続し、一つ以上の開放端（例えば、図９の１１０と同様）を介して離隔される。
【００２８】
図１０は、一つ以上の実施形態に従って、照明機器１０００の分解図の例を示す。ここで、この例では、装置１０００は、分解された状態である。カバー１０４は、カバー１０４の内表面１１８に対して通常垂直で、カバー１０４の内表面１１８から遠ざかる一つ以上の柱１１６を含む。一つ以上の柱１１６は、この例ではカバー１０４から分解されるハウジング１０２に対するカバー１０４の取り付けを促進する。
【００２９】
加えて、カバー１０４は、カバー１０４の一つ以上の側面１２２に配置される一つ以上の溝１２０を含むことができる。これらの溝１２０は、装置１０００に対するストラップ１０６の取り付けを促進することができる。ストラップ１０６は、一つ以上の溝１２０に配置され、カバー１０４に巻くことができる。この結果、カバー１０４に係合したときに、ハウジング１０２がストラップ１０６の動きを抑制するため、カバー１０４がハウジング１０２に取り付けられたときに、ストラップ１０６は、溝１２０を介して固定されることがわかる。このように、ストラップ１０６は、溝１２０に巻き付いて固定され、カバー１０４と装置１０００のハウジング１０４との間に挟まれることができる。さらに、ストラップ１０６は、装置１０００から外側（outward）に延びることができる。ストラップ１０６は、滑ることを抑制する止め具１２４を含むことができる。このように、ストラップ１０６の留め具１２４は、ストラップ１０６が使用者の指の周りで滑ることを抑制することができる。
【００３０】
図１１は、一つ以上の実施形態に従って、照明機器１１００の分解図の例を示す。図１１の装置１１００は、分解された状態である。一つ以上の実施形態では、装置のハウジング１０２は、動力源１２８（例えば、バッテリー）を収容する第一の空洞（cavity）１２６と、光源１３２（例えば、発光ダイオード又はＬＥＤ）を収容する第二の空洞１３０とを含むことができる。光源１３２は、いろいろな色で実施することができ、望ましいどんな色でも実施できる。
【００３１】
ハウジング１０２は、一つ以上の柱（例えば、図１０の１１６）を受けるように形成される一つ以上の穴（opening）１３４を含むことができる。ここで、カバー１０４からの柱とハウジング１０２に定められる穴１３４は、カバー１０４がハウジング１０２に取り付けられたときに、柱が穴１３４に係合するように、一直線にする（align）ことができる。一つ以上の実施形態では、穴１３４は、第二の空洞１３０の両側に配置することができる。しかしながら、カバー１０４の取り付けを促進するために、穴１３４がハウジング１０２の中のどの位置に配置されてよいことは当然のことである。
【００３２】
装置１１００は、動力源１２８を光源１３２に電気的に接続する接続装置１３６を含むことができる。接続装置１３６は、動力源１２８と光源１３２との間の電気的接続を供給する任意の導電部材から形成することができる。例えば、接続装置１３６は、導電性ワイヤーとすることができる。一つ以上の実施形態では、接続装置１３６は、スプリングとすることができる。例えば、接続装置１３６は、第一の脚１３８と、第二の脚１４０と、第一の脚１３８と第二の脚１４０が接続する接続部１４２とを有するＵ型のスプリングとすることができる。第一の脚１３８は、ハウジング１０２内部の第一の空洞１２６に隣接する内壁１４４に取り付けることができる。第二の脚１４０は、第一の脚１３８よりも長く、内壁１４４の上を超えて延び、動力源１２８に隣接する位置に延びることができる。このように、接続装置１３６の接続部１４２は、第一の脚１３８，第二の脚１４０及び光源１３２に接続することができる。この結果、第一の脚１４０が動力源１２８と接続した時に、接続部１４２は、光源１３２及び第二の脚１３８に電気的接続を提供する。装置１１００の操作は、より詳細に後述する。
【００３３】
図１２、図１３及び図１４は、それぞれ、一つ以上の実施形態に従って、照明機器１２００，１３００，１４００の例図を示す。図１２の装置１２００は、ハウジング１０２、カバー１０４、彼又は彼女の手に装置１２００を取り付けることを使用者に許容するストラップ１０６又はバンドを含むことができる。ストラップは、隠匿（concealable）又は巧妙な方法（subtle manner）で、彼又は彼女の指又は手から装置１２００を取り除く、又は彼又は彼女の指又は手に簡単に又は早く装置１２００を取り付けることを使用者に許容する、伸縮性又は弾力性などがある任意の素材で形成することができる。ストラップ１０６は、ストラップ１０６を調整する手段を含むより固い素材を含むことができる。一つ以上の実施形態では、使用者は、例えば、装置１２００を使用者の指に沿って滑り込ませてストラップ１０６を調節することができる。図１２の一つ以上の実施形態は、ここに記載される他の実施形態と同様にすることができ、代替的実施形態において、カバー１０４よりもむしろ、ハウジング１０２に作動部材を統合又は配置することなどを採用できることは当然のことである。さらに、接続部材などの他の構成（component）の内部構造（internal configuration）は、接続装置が反対方向に向く、又はカバー１０４よりもむしろハウジング１０２に実装されるなどのように反転されてもよく、逆に実装されてもよい。
【００３４】
装置１２００のストラップ１０６は、カバー１０４の中に定められる一つ以上の溝１２０８に係合できることがわかる。ここで、ストラップ１０６は、ハウジング１０２の外部に巻き付くことができ、凹部（recess）１２１０又はハウジング１０２の内部に形成される通路（track）を介してハウジングに係合することができる。結果として、使用者が装置１２００を着用しているとき、ストラップ１０６は、ハウジング１０２の凹部１２１０に係合する。これは、ハウジング１０２が外れること（sliding off）を抑制する。ストラップ１０６は、任意の適切な方法で装置１２００に取り付けられ得ることは当然のことである。加えて、ストラップ１０６の滑りを抑制するために、ストラップ１０６は、カバー１０４の下の装置１２００のそれぞれの側面に配置できる一つ以上の止め具（stopper）１２１２を含むことができる。一つ以上の実施形態では、溝１２０８が開くまで、ストラップ１０６がはずれないように、溝１２０８又はツメ（tab）は、パチンと閉まる（snap shut）ように形成されることができ、この結果ストラップ１０６が装置１２００から落下することを抑制する。
【００３５】
図１５は、一つ以上の実施形態に従って、指に装着される照明機器１５００の例図を示す。示すように、使用者は、ストラップ１０６を調節して、彼又は彼女の指に装置１５００を滑り込ませることができる。装置１５００が使用者の指に装着されたとき、使用者の手のひら又は手の基部（base）に近い位置に作動部材１０８が配置されるように、装置を位置付けることができる。さらに、装置１３２の光源は、図１５で描写するように、使用者の指の先端付近に位置付けることができる。ここに説明又は記載される一つ以上の実施形態は、光又は照明源（illumination source）１３２が、指の先端（例えば、指と平行な光線）付近で露出されることを開示するが、他の実施形態によれば、照明源１３２が、使用者の指先（例えば、光源は、１３２Ａに位置する）を照らし出すことができることは当然のことである。例えば、光は、使用者の指先に投影されることができ、その結果、起動している間、指先（例えば、指の一部）に光が当たる。これら及び他の変形例は、ここに添付する特許請求の範囲及びこの開示の範囲内に含まれる。
【００３６】
図１６は、一つ以上の実施形態に従って、起動されている間の照明機器１６００の例図を示す。図１７は、一つ以上の実施形態従って、起動されている間の照明機器１７００の例図を示す。図１６及び図１７は、例えば図１１などの、ここに添付する一つ以上の図面から、参照番号（reference number）を参照又は利用して記載する。
【００３７】
使用者は、彼／彼女の指に装置１６００を滑り込ませた時、使用者は、作動部材１０８に隣接するハウジング１０２に対して、彼らの親指及び／又は人差し指（forefinger）又は人差し指（index finger）を用いて、圧力を加えることができる。実際、この圧力は、スプリング１３６の第一の脚１４０に接触する作動部材１０８を曲げて、その後動力源１２８に接触する。結果として、接触は、動力源１２８と光源１３２との間の電気的接続を供給し、これによって光源を光らせる。使用者が作動部材１０８の圧力を開放したとき、接続装置１３６は、作動部材１０８を動力源１２８から離れるように付勢する。つまり、光源１３２は、停止される。作動部材１０８が自己付勢特性（self-biasing characteristics）を有し、圧力が除去された時に自身を動力源１２８から離れるように付勢することは当然のことである。つまり、接続装置１３６は、付勢能力（biasing capabilities）を有する必要がない。
【００３８】
一つ以上の実施形態では、使用者は、「スローイング（throwing）」のイリュージョンを創り出す目的、又は第一の場所から第二の場所に光を移動する目的で、照明装置を利用することができる。例えば、装置は、使用者の手と手の間で光を投げるイリュージョンをつくり出すために使用される。このようなイリュージョンを達成するために、使用者は、それぞれの手の指（例えば、第一の装置を左手に装着し、第二の装置を右手に装着）に装置を設置し、一度に一つの装置に対して親指で圧力を加える（例えば、第一の装置と第二の装置の間で交互に）。使用者は、その後、起動する装置を持つ手で投げる動作を同時にとり、起動していない装置を持つ手で取る動作をとる。ちょうどその時、使用者は、起動する装置から圧力を開放し、起動していない又は停止されている装置に対して圧力を加え、その結果、光が一方の手から他方の手に投げられるイリュージョンがつくり出される。
【００３９】
色の異なる組み合わせは、光源１３２、又は、ハウジング１０２又はカバー１０４の色のために、利用することができる。例えば、使用者が手から手に光を投げるイリュージョンをさらに容易にするために、装置、ハウジング１０２、又はカバー１０４の色は、使用者の肌の色に近い色とすることができる。しかしながら、色は、透明（transparent）を含むどんな色とするもできることは当然のことである。色は、ハウジング１０２を通した光の伝達を許容すべきであることに注意すべきである。加えて、光源が多様な色を採用できることが理解できる。例えば、代替的実施形態において、白色、緑色、赤色などのＬＥＤが採用され得る。他の例では、装置は、微光環境を照らす目的のために、手を使わないで操作できる（hands free）照明装置として使用することもできる。つまり、この例では、装置は、見る目的、読む目的、又は懐中電灯などとして使用することが出来る。
【００４０】
一つ以上の実施形態に従って、ハウジング、作動部材、ハウジングの中に配置される動力源、ハウジング内に配置される光源、ハウジング内に配置される接続装置、及びハウジングと結合するカバーを含む、照明を提供するためのシステムが提供される。外部圧力が適用された時などの作動部材が押圧された時、接続装置は、動力源及び光源と電気的に接続することができる。作動部材は、システムが装着される指の反対に配置することができる。
【００４１】
一つ以上の実施形態では、ハウジングは、長円形状（oval shaped）とすることができ、作動部材は、ハウジングの統合部（integrated portion）として形成することができ、作動部材は、カバーの統合部として形成することができ、動力源は、バッテリーとすることができ、光源は、発光ダイオード（ＬＥＤ）とすることができ、カバーは、指の輪郭（例えば、湾曲した）に合う形状に形成することができ、光源に関連するカバーの部分又はハウジングの部分は、透明（transparent）又は半透明（semi-transparent）とすることができ、又は、カバー又はハウジングは、皮膚の色調の色を有することができる。
【００４２】
一つ以上の実施形態に従って、照明装置は、ハウジングの中に統合部として形成される作動部材を含むハウジング、ハウジングの中に配置される動力源、ハウジングの中に配置される光源、ハウジングの中に配置される接続装置、及びハウジングと結合するカバーを含む。作動部材が押圧された時、接続装置は、動力源及び光源と電気的に接続することができる。
【００４３】
一つ以上の実施形態では、作動部材は、ハウジングと接続していない一つ以上の開放端、及びハウジングに一体的に取り付けられる接続端を有することができる。作動部材に対して外部圧力が加えられた時、作動部材は、ハウジングの内部に配置される接続装置に向かって曲がることができる。このように、動力源は、光源に電気的に接続することができ、その結果光源を光らせる。接続装置は、作動部材から外部圧力が取り除かれた時、又は作動部材に外部圧力が加えられない時に、作動部材を動力源から離れるように付勢するＵ型のスプリングとすることが出来る。一つ以上の器官に照明装置を取り付けるために、照明装置は、カバー又はハウジングに巻き付けられるストラップを含むことが出来る。作動部材は、隆起部（raised portion）を有することが出来る。
【００４４】
一つ以上の実施形態に従って、ハウジング、ハウジングと結合するカバー、ハウジングの中に配置される動力源、ハウジングの中に配置される光源、及びハウジングの中に配置される接続装置を含み、カバーは、カバーの中に統合部として形成される作動部材を有する、照明装置が提供される。作動部材が押圧された時、接続装置は、動力源及び光源に電気的に接続することができる。一つ以上の器官に照明装置を取り付けるために、照明装置は、ハウジング又はカバーに巻き付けられるストラップを含むことができる。作動部材は、隆起部、成形部（molded portion）、又は隆起成形部（raised molded portion）などを含むことができる。
【００４５】
一つ以上の実施形態では、カバーは、ハウジングの表面に取り付けられることが出来、カバーは、光源を起動するための作動部材を有することができる。作動部材は、カバーの表面又はハウジングの表面と同一平面、又は実質的に同一平面とすることができる。ストラップは、例えば、親指又は指に照明装置を取り付けることを促進することが出来る。
【００４６】
作動部材は、装置が配置される又は配置されることになる指の表面と反対に配置されることができる。一つ以上の実施形態では、作動部材は、隆起部、形成部、又は隆起形成部を有することができる。作動部材は、外部圧力が作動部材に加えられたとき、ハウジング内部に配置される接続装置に向かって曲がることが出来、結果として、動力源を光源に電気的に接続し、光源を光らせる。接続装置は、外部圧力が作動部材から取り除かれた時、作動部材を動力源から離れるように付勢するＵ型のスプリングとすることが出来る。装置又は照明装置は、人の指又は親指に対して照明装置を取り付けることを促進する、取り外し可能及びサイズ変更可能（sizable）なストラップを含むことが出来る。
【００４７】
発明の要旨は、構成の特徴又は方法論的行為（methodological acts）に特有の言語を用いて記載したが、添付の特許請求の範囲の要旨は、必ずしも上述した特定の特徴又は行為に限定されない。むしろ、上述した特定の特徴及び行為は、実施形態の例として開示されている。
【００４８】
実施形態の様々な運用（operation）は、ここに提供される。一つ以上又は全ての操作が記載されるところにおける順序（order）は、これらの操作が必ずしも順序に依存しているということを意味していると解釈されるべきではない。代替的な順序は、この記載に基づいて理解されるであろう。さらに、全ての操作は、必ずしも、本明細書に提供される各実施形態に示されていない可能性がある。
【００４９】
本出願で使用される「又は（or）」は、排他的（exclusive）な「又は（or）」よりも、むしろ包括的（inclusive）な「又は（or）」を意味することを意図する。さらに、包括的（inclusive）な「又は（or）」は、任意の組み合わせを含むことが出来る（例えば、Ａ、Ｂ又はその任意の組み合わせ）。加えて、本出願で使用される「a」および「an」は、別段の指定または単数形に向けられる文脈から明らかでない限り、一般的に「一つ以上」を意味すると解釈される。加えて、Ａ及びＢの少なくとも一つ及び／又は同様のもの（the like）は、一般的にＡ又はＢ又はＡ及びＢを意味する。さらに、「含む（include）」、「有する（having）」、「有する（has）」、「ともに（with）」、又はそれらの異形（variants）が明細書または特許請求の範囲において使用される場合、そのような用語は、「含む（comprising）」という用語と同様に包括的であることを意図する。
【００５０】
さらに、他に明示しない限り、「第一」、「第二」、又は同様のものは、一時的側面（temporal aspect）、空間的側面（spatial aspect）、順序（ordering）などを意味することを意図していない。むしろ、このような用語は、特徴（feature）、要素（element）、アイテム（item）等のために、単に識別子（identifiers）、名前（names）等として使用される。例えば、第一のチャネルおよび第二のチャネルは、一般に、チャネルＡ及びチャネルＢ又は二つの異なる又は二つの同一のチャネル又は同じチャネルに対応する。さらに、「含む（comprising）」、「含む（comprises）」、「含む（including）」、「含む（includes）」、又は同様のものは、一般的に、含む（comprising）又は含む（including）を意味するが、限定されない。
【００５１】
本開示は、一つ以上の実装に関して記載して示したが、同等の変更及び修正は、本明細書および添付の図面を読んで理解することで発生するだろう。本開示は、そのようなすべての修正及び変更を含み、以下の特許請求の範囲によってのみ制限される。
【図１】
2016510158.tif 000003
【図２】
2016510158.tif 000004
【図３】
2016510158.tif 000005
【図４】
2016510158.tif 000006
【図５】
2016510158.tif 000007
【図６】
2016510158.tif 000008
【図７】
2016510158.tif 000009
【図８】
2016510158.tif 000010
【図９】
2016510158.tif 000011
【図１０】
2016510158.tif 000012
【図１１】
2016510158.tif 000013
【図１２】
2016510158.tif 000014
【図１３】
2016510158.tif 000015
【図１４】
2016510158.tif 000016
【図１５】
2016510158.tif 000017
【図１６】
2016510158.tif 000018
【図１７】
2016510158.tif 000019
【国際調査報告】
2016510158.tif 000020